(57)【特許請求の範囲】
【請求項１】
アイアン型のゴルフクラブヘッドであって、グラウンドの仮想平面に対して基準位置を向いている場合、
本体であって、
トップラインと、
前記トップラインとは概して対向関係にあるソール部であって、該ゴルフクラブヘッドが前記基準位置にある場合、該ソール部の少なくとも一部が前記グラウンドの仮想平面に当接する、ソール部と、
前記トップラインと前記ソール部との間に延在する打球面と、
前記打球面とは概して対向関係にある後面と、
前記後面から前記打球面に向かって延在する後部キャビティと、
前記ソール部内へと延在するソールキャビティと、
前記後部キャビティと前記ソールキャビティとの間に設けられる仕切り部と、
を有する、本体と、
第１の軸に沿って前記後部キャビティ内に取外し可能に固定される少なくとも１つの後部プレートと、
前記ソールキャビティ内に取外し可能に固定される少なくとも１つのソールプレートと、
前記グラウンドの仮想平面から垂直方向に１３．５ｍｍ〜１６．０ｍｍだけ離間している重心と、
を備え、
前記トップラインと前記ソール部との間において、前記仕切り部の最大の幅は、前記後部キャビティの最大の幅、及び、前記ソールキャビティの最大の幅よりも狭い、アイアン型のゴルフクラブヘッド。
【請求項２】
前記ゴルフクラブヘッドが、前記少なくとも１つの後部プレートのうちの第１の後部プレートが前記後部キャビティに固定され、前記少なくとも１つのソールプレートのうちの第１のソールプレートが前記ソールキャビティに固定されるような第１の状態にある場合、前記重心は前記グラウンドの仮想平面から垂直方向におよそ１３．６ｍｍだけ離間しており、
前記ゴルフクラブヘッドが、前記少なくとも１つの後部プレートのうちの第２の後部プレートが前記後部キャビティに固定され、前記少なくとも１つのソールプレートのうちの第２のソールプレートが前記ソールキャビティに固定されるような第２の状態にある場合、前記重心は前記グラウンドの仮想平面から垂直方向におよそ１５．９ｍｍだけ離間している、請求項１に記載のアイアン型のゴルフクラブヘッド。
【請求項３】
前記少なくとも１つの後部プレートは、互いに略平行な第１の対の対向面を有し、該対間に略均一な後部プレート厚を規定するか、及び
前記少なくとも１つのソールプレートは、互いに略平行な第２の対の対向面を有し、該対間に略均一なソールプレート厚を規定するか、の少なくとも一方である、請求項１に記載のアイアン型のゴルフクラブヘッド。
【請求項４】
前記少なくとも１つの後部プレートは、互いに平行でない１対の対向面を有し、該対間に不均一の後部プレート厚を規定するか、及び
前記少なくとも１つのソールプレートは、互いに平行でない１対の対向面を有し、該対間に不均一のソールプレート厚を規定するか、の少なくとも一方である、請求項１に記載のアイアン型のゴルフクラブヘッド。
【請求項５】
前記ゴルフクラブヘッドが前記基準位置にある場合、
前記後部プレート厚は、前記仕切り部と前記トップラインとの間で変化すること、及び、前記ソールプレート厚は、前記ソール部の底面と前記仕切り部との間で変化すること、の少なくとも一方を満たす、請求項４に記載のアイアン型のゴルフクラブヘッド。
【請求項６】
前記後部プレート厚及び前記ソールプレート厚のうちの少なくとも一方は、前記ゴルフクラブヘッドが前記基準位置にある場合、ヒール部からトゥ部にかけての方向に変化する、請求項４に記載のアイアン型のクラブヘッド。
【請求項７】
前記少なくとも１つの後部プレートを前記本体に結合するように構成されている後部プレート締結具と、
前記少なくとも１つのソールプレートを前記本体に結合するように構成されているソールプレート締結具と、
のうちの少なくとも一方を更に備える、請求項１に記載のアイアン型のクラブヘッド。
【請求項８】
前記後部プレート締結具及び前記ソールプレート締結具のうちの少なくとも一方は、ねじ切りされたねじ部材を含む、請求項７に記載のアイアン型のクラブヘッド。
【請求項９】
前記後部プレート締結具及び前記ソールプレート締結具のうちの少なくとも一方は、磁石を含む、請求項７に記載のアイアン型のクラブヘッド。
【請求項１０】
前記少なくとも１つの後部プレート及び前記少なくとも１つのソールプレートのうちの少なくとも一方は、タングステンから形成される、請求項１に記載のアイアン型のクラブヘッド。
【発明の詳細な説明】
【技術分野】
【０００１】
［関連出願の相互参照］
本願は、２０１５年１０月６日に出願された米国特許出願第１４／８７６７３１号の一部継続出願であり、この米国特許出願の内容は、引用することにより明示的に本明細書の一部をなす。
【０００２】
［連邦政府による資金提供を受けた研究又は開発に関する記載］
該当なし
【０００３】
本開示は、包括的には、ゴルフクラブヘッドに関し、より具体的には、所望の性能特性を達成する目的で、クラブヘッドの構造特性を変更するために、複数の脱着可能なプレート又はインサートのうちの１つが選択的に取り付けられるようになっている本体を備えるゴルフクラブヘッドに関する。
【背景技術】
【０００４】
ゴルフクラブの物理的性質は、使用時のクラブの「フィーリング（feels、使用感）」に大きな影響を与えることがよく知られている。使用時のクラブの性能又はフィーリングに関してゴルフ業界で一般的に使用される１つの特定の用語に、ゴルフクラブの「有効バウンス（effective bounce）」がある。ゴルフクラブの有効バウンスは、ゴルフクラブの１つの物理的性質のみでは通常は決定付けられない。むしろ、有効バウンスは、クラブヘッドの複数の要因、例えば、ソール長さ、ソール幅、「打出し角（take-off angle）」（より詳細に後述する）等に関連する。ゴルファーの好ましい有効バウンスは、ゴルファーの特定のスイング特性及びゴルフコースのプレー条件によって決定付けられる場合がある。例えば、ローバウンスウェッジは、タイトライズ（tight lies）からのショット及び砂が非常に少ないか又は非常に堅いバンカーにおけるショット、並びに非常に急角度のスイングをするゴルファーにとって好ましい場合がある。ハイバウンスウェッジは、ラフ、柔らかいライ、砂が多いか又は砂が非常に柔らかいバンカーからのショット、及び全体的にフラットなスイングをするゴルファーにとって好ましい場合がある。
【０００５】
有効バウンスに関する多様性の観点において、ゴルフクラブの製造業者は、異なるバウンス特性を有する様々なクラブヘッドを設計している。クラブヘッドのバウンスの多様性は、ウェッジ型のゴルフクラブの設計に関して特に広く認められる。これに関して、所定のロフトを有する現在市販されている多くのウェッジは、ローバウンス、ミディアムバウンス、及びハイバウンスの別個のモデルで提供され、いずれかの特定のウェッジ設計は、所定の有効バウンスに限定される。したがって、例えば、ゴルファーが、異なるコース条件に対応するのにハイバウンスウェッジ及びローバウンスウェッジを利用したい場合、通常は、同じロフトを有する複数の異なるウェッジを購入しなければならない。なぜなら、上述したように、現在の従来的なウェッジ設計では、あらゆるバウンスの多様性には対応しないためである。さらに、クラブヘッドのソールの適切な特性、例えばバウンス角に合わせたいと望むプレーヤーは、そのようなフィッティングに対応するのにソールの単純な前後調整ができるテストクラブがないことで不便を感じるのが通常である。
【発明の概要】
【発明が解決しようとする課題】
【０００６】
したがって、クラブヘッド、より詳細には、クラブヘッドに関する有効バウンスに適応性を与えるウェッジが必要である。本開示の種々の態様は、下記により詳細に論じるようにこの特定の必要性に対処する。
【課題を解決するための手段】
【０００７】
本開示の１つの実施形態によれば、本体と、本体に交換式に組付け可能な第１のソール部品及び第２のソール部品とを備える、アイアン型（より詳細にはウェッジ型）のゴルフクラブヘッド組立キットが提供される。本体は、フェース中心と、リーディングエッジと、打球面の仮想平面とを有する打球面を有する。本体はまた、打球面の反対側の後面と、ホーゼル軸を規定するホーゼル部とを有する。第１のソール部品が本体に組み付けられる場合、本体と第１のソール部品とが集合的に第１のクラブヘッドを形成し、第１のクラブヘッドは、第１のソール部品と本体との間に形成される第１の分割線と、第１のソール外形とを有するソール面を有する。第１のクラブヘッドが基準位置を向いている場合、フェース中心を通り、打球面の平面に対して垂直な中央の仮想垂直平面において、打球面のこの仮想平面に対して垂直な方向に、分割線が打球面から後方に距離Ｄ１だけ離間しており、また、クラブヘッドは最大奥行きＤ２を有し、Ｄ１／Ｄ２が０．４０以上になっている。第２のソール部品が本体に組み付けられる場合、本体と第２のソール部品とが集合的に第２のクラブヘッドを形成し、第２のクラブヘッドは、第２のソール部品と本体との間に形成される第２の分割線と、第１のソール外形とは異なる第２のソール外形とを有する第２のソール面を有する。
【０００８】
ゴルフクラブヘッド組立キットは、ねじ頭部及びねじ軸部（ねじ軸部の軸を規定する）を有するねじ部材を更に備えることができる。ねじ部材は、第１のソール部品又は第２のソール部品のうちの一方を本体に固定して、第１のクラブヘッド及び第２のクラブヘッドのうちの対応する一方を形成するように構成することができ、第１のクラブヘッド及び第２のクラブヘッドのいずれかが基準位置を向いている場合、ねじ軸部の軸は、ホーゼル軸を含むホーゼル部の仮想垂直平面が、約７５度〜約１１０度のねじ軸部角度で交わるようになっている。
【０００９】
ゴルフクラブヘッド組立体が第１のクラブヘッドとして構成され、そのような第１のクラブヘッドが基準位置を向いている場合、中央の仮想垂直平面において、打球面の仮想平面に対して垂直な方向に測定すると、（ａ）第１のソール部品は、打球面の平面に対して平行なソール部品の前方平面を規定する最前点と、打球面の平面に対して平行なソール部品の後方平面を規定する最後点とを更に有することができ、（ｂ）第１の分割線を通り、打球面の平面に対して平行な平面は、ソール部品の前方平面から後方に距離Ｄ３だけ離間していることができ、（ｃ）ソール部品の後方平面は、ソール部品の前方平面から後方に距離Ｄ４だけ離間していることができ、Ｄ３／Ｄ４が０．３０以上になっている。
【００１０】
第１のクラブヘッドが基準位置を向いている場合、中央の仮想垂直平面において、分割線は、リーディングエッジから後方に０．３５インチを下回らない水平距離だけ離間していることができる。
【００１１】
第１のクラブヘッドは、３８度以上のロフト角を更に有することができる。
【００１２】
それぞれ基準位置を向いている場合には、第１のクラブヘッドは、第１のリーディングエッジ高さを有することができ、第２のクラブヘッドは、第１のリーディングエッジ高さとは少なくとも０．１５ｍｍだけ異なる第２のリーディングエッジ高さを有することができる。
【００１３】
本開示の別の態様によれば、基準位置を向いている場合、本体と、本体に取外し可能に固定されるソール部品とを備えるアイアン型のゴルフクラブヘッド、例えばウェッジ型のゴルフクラブヘッドが提供される。本体は、フェース中心と、リーディングエッジと、打球面の仮想平面とを有する打球面を有する。本体はまた、打球面の反対側の後面と、ホーゼル軸を規定するホーゼル部とを備える。ソール面は、本体とソール部品とによって集合的に形成され、ソール面はソール外形を有し、ソール部品と本体との間には第１の分割線が形成される。フェース中心を通り、打球面の仮想平面に対して垂直な中央の仮想垂直平面において、打球面に対して垂直な方向に測定すると、分割線は、打球面から後方に距離Ｄ１だけ離間しており、また、クラブヘッドは最大奥行きＤ２を有し、Ｄ１／Ｄ２が０．５０以上になっている。
【００１４】
Ｄ１／Ｄ２は０．７０以上の場合があることが想定される。
【００１５】
ゴルフクラブヘッドは、ホーゼル軸を含むホーゼル部の仮想垂直平面と、ソール部品を本体に固定するように構成されている締結具とを更に備えることができる。
【００１６】
本開示の更に別の実施態様において、基準位置を向いている場合、本体と、本体に取外し可能に固定されるソール部品とを備えるアイアン型のゴルフクラブヘッド、例えばウェッジ型のゴルフクラブヘッドが提供される。本体は、フェース中心と、リーディングエッジと、打球面の仮想平面とを有する打球面を有する。本体はまた、打球面の反対側の後面と、ホーゼル軸を規定するホーゼル部とを有する。ソール面は、本体とソール部品とによって集合的に形成され、ソール面はソール外形を有し、第１のソール部品と本体との間には第１の分割線が形成される。フェース中心を通り、打球面の仮想平面に対して垂直な中央の仮想垂直平面において、分割線は打球面から後方に０．３５インチ以上の水平距離Ｄ５だけ離間している。
【００１７】
Ｄ５は、約０．４０インチ〜０．７０インチとすることができる。
【００１８】
中央の仮想垂直平面において、ソール面は、ソール面水平長さＤ６を更に有することができ、Ｄ５／Ｄ６が０．５０以上になっている。Ｄ５／Ｄ６は０．６０以上の場合もある。
【００１９】
本開示の別の態様によれば、グラウンドの仮想平面に対して基準位置を向いている場合、トップラインと、トップラインとは概して対向関係にあるソール部とを有する本体を備え、ゴルフクラブヘッドが基準位置にある場合、ソール部の少なくとも一部がグラウンド平面に当接する（resting on）、アイアン型のゴルフクラブヘッドが提供される。本体は、トップラインとソール部との間に延在する打球面と、打球面とは概して対向関係にある後面とを更に有する。後部キャビティが後面から打球面に向かって延在し、ソールキャビティがソール内へと延在する。ゴルフクラブヘッドは、第１の軸に沿って後部キャビティ内に取外し可能に固定される少なくとも１つの後部プレートと、ソールキャビティ内に取外し可能に固定される少なくとも１つのソールプレートとを更に備える。ゴルフクラブヘッドは、グラウンドの仮想平面から垂直に１３．５ｍｍ〜１６．０ｍｍだけ離間している重心を有する。
【００２０】
後部プレートは、互いに略平行な第１の対の対向面を有し、この対間に略均一な後部プレート厚を規定することができる。ソールプレートは、互いに略平行な第２の対の対向面を有し、この対間に略均一なソールプレート厚を規定することができる。
【００２１】
代替的な一実施態様によれば、後部プレートは、互いに平行でない１対の対向面を有し、この対間に可変の後部プレート厚を規定することができる。さらに、ソールプレートは、互いに平行でない１対の対向面を有し、この対間に可変のソールプレート厚を規定することができる。後部プレート厚及びソールプレート厚のうちの少なくとも一方は、クラブヘッドが基準位置にある場合、垂直方向に変化することができる。後部プレート厚及びソールプレート厚のうちの少なくとも一方は、クラブヘッドが基準位置にある場合、ヒール部からトゥ部にかけての方向に変化することができる。
【００２２】
クラブヘッドは、少なくとも１つの後部プレートを本体に結合するように構成されている後部プレート締結具と、少なくとも１つのソールプレートを本体に結合するように構成されているソールプレート締結具とのうちの少なくとも一方を備えることができる。後部プレート締結具及びソールプレート締結具のうちの少なくとも一方は、ねじ切りされたねじ部材を含んでもよい。後部プレート締結具及びソールプレート締結具のうちの少なくとも一方は、磁石を含んでもよい。
【００２３】
少なくとも１つの後部プレート及び少なくとも１つのソールプレートのうちの少なくとも一方は、タングステンから形成してもよい。
【００２４】
本開示は、添付の図面と併せて読むと、以下の詳細な説明を参照することにより最もよく理解される。
【００２５】
本明細書に開示される種々の実施形態のこれらの特徴及び利点並びに他の特徴及び利点は、以下の説明及び図面に関連してよりよく理解される。
【図面の簡単な説明】
【００２６】
【図１】脱着可能なソール部品が本体から分解されているアイアン型又はウェッジ型のゴルフクラブヘッドの分解背面斜視図である。
【図２】図１に示されているゴルフクラブヘッドの組立背面斜視図である。
【図３】図２に示されているゴルフクラブヘッドの正面図である。
【図４】ソール部品が本体に取り付けられた状態における、図２及び図３に示されているゴルフクラブヘッドのトゥ側の図である。
【図５】ソール部品が本体に取り付けられた状態における、図２〜図４に示されているゴルフクラブヘッドの背面図である。
【図６】図５に示されている線６−６に沿ったゴルフクラブヘッドの側面断面図である。
【図７】図５に示されている線７−７に沿ったゴルフクラブヘッドの側面断面図である。
【図８】図５に示されている線８−８に沿ったゴルフクラブヘッドの分解側面断面図である。
【図９】クラブヘッドの或るパラメーターが強調されている、図５に示されている線９−９に沿ったゴルフクラブヘッドの組立側面断面図である。
【図９Ａ】クラブヘッドの或るパラメーターが強調されている、図５に示されている線９−９に沿ったゴルフクラブヘッドの組立側面断面図である。
【図１０】クラブヘッドの或るパラメーターが強調されている、図５に示されている線９−９に沿ったゴルフクラブヘッドの組立側面断面図である。
【図１１】クラブヘッドの或るパラメーターが強調されている、図５に示されている線９−９に沿ったゴルフクラブヘッドの組立側面断面図である。
【図１２】第１のソール部品が本体に結合されているクラブヘッドの拡大された一部の側面断面図である。
【図１３】第２のソール部品が本体に結合されているクラブヘッドの拡大された一部の側面断面図である。
【図１４】第３のソール部品が本体に結合されているクラブヘッドの拡大された一部の側面断面図である。
【図１５】本体と、本体に取り付けられている第１の実施形態の後部プレート及びソールプレートの組とを備えるクラブヘッドの斜視図である。
【図１６】本体と、本体に取り付けられている第１の実施形態の後部プレート及びソールプレートの組とを備えるクラブヘッドの斜視図である。
【図１７】図１５及び図１６に示されているクラブヘッドの断面図である。
【図１８】本体と、本体に取り付けられている第２の実施形態の後部プレート及びソールプレートの組とを備えるクラブヘッドの斜視図である。
【図１９】本体と、本体に取り付けられている第２の実施形態の後部プレート及びソールプレートの組とを備えるクラブヘッドの斜視図である。
【図２０】図１８及び図１９に示されているクラブヘッドの断面図である。
【図２１】本体と、本体に取り付けられている第３の実施形態の後部プレート及びソールプレートの組とを備えるクラブヘッドの斜視図である。
【図２２】本体と、本体に取り付けられている第３の実施形態の後部プレート及びソールプレートの組とを備えるクラブヘッドの斜視図である。
【図２３】本体に結合されているソールプレートを示す第１の断面における、図２１及び図２２に示されているクラブヘッドの断面図である。
【図２４】本体に結合されている後部プレートを示す第２の断面における、図２１及び図２２に示されているクラブヘッドの断面図である。
【発明を実施するための形態】
【００２７】
図面及び詳細な説明の全体を通して同じ要素を示すために共通の参照符号が用いられる。
【００２８】
添付図面に関連して以下に記載する詳細な説明は、調整可能なアイアン型のゴルフクラブヘッド、特に、ウェッジ型のゴルフクラブヘッドの調整可能な後部及び／又はソール部のいくつかの実施形態の説明として意図されており、開発又は使用され得る唯一の形態を代表することは意図していない。本説明は、図示の実施形態に関連して種々の構造及び／又は機能を記載するが、一方で、同じ若しくは均等な構造及び／又は機能を異なる実施形態によって達成してもよく、これらの実施形態も本開示の範囲内に包含されるように意図されることが理解されるべきである。例えば、本開示は、特にウェッジ型のゴルフクラブに対して使用されるが、以下に記載の構造的及び機能的な特徴は、他のアイアン型のゴルフクラブヘッドにも適用し得る。「第１の」及び「第２の」等の相関的な用語の使用等は、単に１つの実体を別の実体から区別するために用いられ、このような実体間のそうした実際の関係又は順序を必ずしも必要とするか又は含意することはないことが更に理解される。「およそ」の値として列挙される全てのパラメーター値は、これらのパラメーターが含まれる１つ又は複数の実施形態の任意の特性として、そのようなパラメーターの正確な値を暗に列挙する役目を果たすように意図されている。
【００２９】
図１〜図４を参照すると、１つの実施形態によれば、例えば、クラブヘッドの「バウンス」の所定の変更に基づいて、クラブヘッド１０を用いるプレーヤーにとっての好ましい「フィーリング」を達成するように、複数の異なるソール部品のうちの１つが交換式に取付け可能になっている本体１２を備えるゴルフクラブヘッド１０が示されている。特に、異なるソール部品はそれぞれ異なる構造特性を規定し、そのため、各ソール部品が、本体１２に取り付けられる場合、他のソール部品に対して異なるバウンスを提供する。上述したように、本明細書で用いられる場合の「バウンス」という用語は、「有効バウンス」を示しており、これは上述したように、ソールの１つの特定の測定可能な態様のみを包摂し得るものではなく、むしろ、芝との相互作用に基づくクラブヘッドのフィーリング、及び静止位置において芝に当接する際にクラブが置かれ得る様相に寄与し得る、ゴルフクラブのソール面の複数の態様を包括的に含む。バウンスの分類は、いくつかの場合では、１つのみの要因、例えば打出し角（後述する）に基づく場合がある。しかし、実際的には、「有効バウンス」の分類は、従来は、場合によって打出し角、ソール幅、前部から後部にかけてのソールキャンバー（camber、そり）、及びヒール部からトゥ部にかけてのソールキャンバーを含む又は含まない、ソール面の複数の態様によるものである。有効バウンスの分類（また、異なる「バウンス」特性を有する１つ又は複数の交換式のソール部における順次の区別）は、少なくとも「打出し角」及び／又はソール幅における違いを含むことが好ましい。ユーザーは、ユーザーのスイング特性、プレー環境、又は他の要因に基づいて特定のソール部品を選択することができる。
【００３０】
ゴルフクラブヘッド１０は、アイアン型のゴルフクラブヘッド、より詳細にはウェッジであり、本体１２は、打球面１６と、打球面１６とは対向関係にある後面１８とを有する。クラブヘッド１０は、上側部分であるブレード部と、（本体１２とソール部品１４との組合せにより）ブレード部に組み付けられる下側マッスル（muscle）部とを規定することが好ましい。ブレード部は、打球面１６と後面１８との間に打球壁厚「Ｔ」を規定することが好ましい。種々の実施形態によれば、打球壁厚Ｔは、好ましくはおよそ０．１５インチ〜０．５０インチに等しく、より好ましくは０．２０インチ〜０．３０インチに等しく、最も好ましくはおよそ０．２２インチに等しい。打球面１６は、フェース中心２０及びリーディングエッジ２１を有するとともに、打球面の平面２２を規定し、打球面１６は、クラブヘッド１０の耐用期間の間、繰り返しゴルフボールを打てるようになっている。これに関して、打球面１６は、衝突時にゴルフボールにスピンをかけるように、及び／又は、面１６から水又は草を退けさせ、クラブヘッド１０とゴルフボールとの間により直接的な衝突を可能にするように複数の溝を有してもよい。本体１２は、ヒール部２４と、トゥ部２６と、トップライン２８と、その反対側のソール部３０とを更に有する。リセス３１（例えば図１を参照）が、ソール部３０に隣接して後面１８から本体１２内に延在し、ソール部品１４を少なくとも部分的に受けるようになっている。このことはより詳細に後述する。本体１２は、ソール部品１４を本体１２に取り付けるために、本体１２内へと延在するボア３３を更に有する。ボア３３は、リセス３１から後方に突出するボス３５内に形成してもよい。本体１２は、鍛造、鋳造、又は当該技術分野において既知の他の製造技法によって金属材料から作製される。ホーゼル部３２は本体１２に結合され、ヒール部２４から延在するとともにホーゼル軸３４を規定する。ホーゼル部３２は、クラブシャフトに係合するようになっている。ゴルフクラブヘッド１０は、ホーゼル軸３４が、仮想平面２２に対して垂直、すなわち打球面１６の全体的な平面に対して垂直な、ホーゼル部の想定上の垂直平面３５と同一平面上にある場合、グラウンドの仮想平面、例えばグラウンド平面３７に対して「基準位置」にあると言える。また、スコアラインがグラウンド平面３７に対して概して平行に延びている。別途示されない限り、本明細書における全てのパラメーターは、基準位置にあるゴルフクラブヘッド１０に関して規定される。
【００３１】
本体１２は、図４に示されているように、ホーゼル部の平面３５と打球面の平面２２との間の角度であるロフト角Φを規定する。種々の実施形態によれば、ロフト角Φは、好ましくは３８度以上であり、更により好ましくは４０度よりも大きく、より一層好ましくは４５度〜７０度であり、更により好ましくは５５度〜６０度であり、最も好ましくはおよそ５６度に等しい。これらの範囲内のロフトを有するゴルフクラブヘッド、例えばアイアン型のクラブヘッドは、グラウンドを「掘る（dig）」傾向が大きい場合、特にソール外形の調整に適する。
【００３２】
上述したように、本体１２は、具体的には、複数の異なる形態のソール部品１４とともに交換式に用いるようになっており、それらのソール部品１４の特定の例を、図１２〜図１４を参照してより詳細に後述する。これに関して、ゴルファーは、ゴルフクラブヘッド１０を画定するために複数のソール部品１４のうちのどのソール部品を本体１２に取り付けるかを選択することができる。各ソール部品１４は、本体１２に取り付けられる場合、独自のバウンス、ひいては「フィーリング」の属性をもたらす。例えば、異なるソール部品１４は、異なる寸法を有し、異なる外形を画定することができ、クラブヘッド１０に特有のフィーリングをもたらすことができる。ソール部品１４は、異なる重量、密度、材料、又はクラブヘッド１０に特有の属性をもたらすことを目指した他の構造的な区別、及び特に上述のバウンス特性を有することができることも想定される。
【００３３】
通常、各ソール部品１４は、内面３６、頂面３８、底面４０、及び後面４２を有し、ソール部品１４はヒール部及びトゥ部を画定する。カウンターボア４８が、ソール部品１４を貫通して形成され、後面４２及び内面３６を通るカウンターボア軸５０を規定する。
【００３４】
１つの実施形態によれば、ソール部品１４は、ソール部品１４をリセス３１内に、ソール部品１４の内面３６が本体１２に面した状態で位置決めすることによって、本体１２に取り付けることができる。ボス３５は、カウンターボア４８が、本体１２に形成されているボア３３と同軸に位置合わせされるように、本体１２に対してソール部品１４を適切に位置付けるのを補助することができる。ねじ５２等の機械的な締結具を用いて、ソール部品１４を本体１２に固定することができる。ソール部品１４及び本体１２は、ソール部品１４がリセス３１の内面３６、リセス上側側壁３１ａ及びリセス下側側壁３１ｂの双方に当接するように構成されていることが好ましい。ソール部品１４がこれらのそれぞれのリセス側壁３１ａ及び３１ｂに当接するように構成することによって、ソール部品１４と本体１２との組合せは、通常のプレー中にクラブヘッド１０がゴルフボールに衝突する際に、一体の（solid）部品としての挙動をよりとりやすくなり得る。例えば、ソール部品の僅かな動き（これによりクリック音（clicking：カチャカチャ鳴ること）が生じ得る）を、互いに対して角度の付いている複数の面の当接（通常の単一平面における面に対する当接と対比される）によって、更に最小化することができる。これに関して、フィーリングが向上するので、このような調整可能なクラブヘッドは、（実際に単一の一体型部品で形成されている場合が多い）調整可能でないタイプの同様のクラブヘッドの代わりとしてより受け入れやすくなることが可能になる。結果として、より一体のフィーリングをこのような調整可能なクラブヘッドに与えることによって、フィッティング用のツールとして用いる場合、このような調整可能なクラブヘッドが対応することを意図され得る、従来から購入可能な調整可能でないクラブヘッドのようなフィーリングをより得やすい。この場合、バウンスフィッティングを行うゴルファーは、実際に購入したクラブが、この購入したクラブが発揮するはずのテストクラブのようなフィーリングではないことに落胆することが少なくなる（又はフィッティング作業がほとんど無意味であったと感じることが最小限になる）。いくつかの実施形態において、リセス３１の側壁３１ａ及び３１ｂのうちの少なくとも一方（またいくつかの場合ではその双方）には、ソール部品１４の上面３８及び下面４０のテーパー部分に対して相補的にテーパーが付けられている。このようにして、本体１２とソール部品１４との間の組付けは、よりぴったりと合い（snug）及び／又は製造公差に対応することができる。ソール部１４を本体１２に一体に固定することにより、（例えば、クラブヘッドのブレード部に組み合わせるために）ソール部品１２の比較的薄い領域が生じることが回避され得る。このような薄い部分は、通常使用時に打球面１６がゴルフボールに衝突する際に望ましくない振動が伝播することに結びつき得る。
【００３５】
ここで図５を参照すると、１つの規定のソール部品１４が本体１２に取り付けられているクラブヘッド１０の背面図が示されている。図６は、クラブヘッド１０のトゥ部に隣接して位置する横断平面において示されているクラブヘッド１０の側面断面図であり、一方、図７は、クラブヘッド１０のヒール部に隣接して位置する横断平面において示されているクラブヘッド１０の側面断面図である。見てわかるように、ソール部品１４のサイズは、ヒール部からトゥ部にかけての方向に変化し、ソール部品１４は、トゥ部の近位（またヒール部の遠位）よりもヒール部の近位の方がより大きい断面積を有し得る。
【００３６】
ソール部品１４及び本体１２は、互いに取り付けられると、本体１２とソール部品１４とが交わる部分に分割線５６を有するソール外形を有するソール面５４を集合的に画定する。ソール面５４の一部を画定するソール部品１４に関して、ソール面５４の外形は、１つのソール部品１４を別のソール部品１４に交換することによって変化させることができる。これに関して、少なくとも３つのソール部品１４ａ、１４ｂ、及び１４ｃの組が、図１２〜図１４に示されている。少なくとも３つのソール部品１４ａ、１４ｂ、及び１４ｃは、本体１２と、本体１２に固定されるソール部品（ソール部品１４ａ、１４ｂ、及び１４ｂの組のうちの１つ）との間に形成されるソール面の外形を変化させるために、本体１２に交換式に取付け可能である。例えば、第１のソール部品１４ａ（図１２）が本体１２に取り付けられる場合、第１のソール部品１４ａと本体１２とは集合的に第１のクラブヘッド１０ａを形成し、第１のクラブヘッド１０ａは、第１の分割線が第１のソール部品１４ａと本体１２との間に形成される第１のソール外形を規定する第１のソール面を有する。第１のソール部品１４ａが取り外され、例えば第２のソール部品１４ｂ（図１３）と交換される場合、本体１２と第２のソール部品１４ｂとは集合的に、第１のクラブヘッド１０ａとは異なる第２のクラブヘッド１０ｂを形成し、第２の分割線が第２のソール部品と本体１２との間に形成される第２のソール外形を規定する第２のソール面を有する。
【００３７】
ここで図８及び図９を詳細に参照すると、フェース中心２０を通り、打球面の平面２２に対して垂直である断面垂直平面におけるクラブヘッド１０の断面図が示されており、図８は分解図を示し、図９は組立図を示している。見て取ることができるように、ソール部品１４は、ねじ頭部５８と、ねじ軸部の軸６２を規定する雄ねじ付きねじ軸部６０とを有するねじ部材５２によって、本体１２に取り付けられる。１つの実施形態によれば、好ましくはねじ軸部６０上に３つ以上のねじ山、より好ましくはねじ軸部６０上に３つ〜５つのねじ山がある。当然ながら、他の実施形態は、本開示の趣旨及び範囲から逸脱することなく、ねじ軸部６０上に５つよりも多いねじ山を有することができる。
【００３８】
ねじ部材５２は、ソール部品１４を本体１２に固定し、クラブヘッド１０を形成するように構成されており、クラブヘッド１０が基準位置を向いている場合、ねじ軸部の軸６２が、約７５度〜約１１０度、より好ましくは８０度〜１００度、より好ましくは約９０度に等しいねじ軸部角度Θでホーゼル軸を含むホーゼル部の仮想垂直平面６４に交わるようになっている。これに関して、ボア３３は、雌ねじ付きであり、ねじ軸部６０上の雄ねじと係合するように構成されており、ボア３３は、ねじ軸部角度Θと等しいボア軸６６の回りに配置されている。ボア３３は、十分な回数のねじ回しを可能にするのに十分深く本体１２内へと延在する。ソール部品１４に形成されているカウンターボア４８は、ねじ軸部６０の直径よりも大きく、ねじ頭部５８の直径よりも小さい第１の直径を有する第１のセクションと、ねじ頭部５８の直径よりも大きい第２の直径を有する第２のセクションとを有し、図９に示されているように、ねじが完全にボア３３内に進むと、ねじ頭部５８がカウンターボア４８の第２のセクション内に収まるようになっている。１つの実施形態によれば、ねじ頭部５８は、ソケット型のねじ頭部であり、調整可能／取外し可能な軸固定用ねじのための工具ソケットに適合するが、ねじ頭部５８は、フィリップス頭部型のねじ頭部、平坦頭部型のねじ頭部、又は、レンチ、アレンレンチ、アレンキー、トルクス（登録商標）レンチ、多角形断面を有するレンチ、専用の断面形状を有するレンチと動作可能に係合するようになっているソケット、又は当該技術分野において既知の他のタイプのねじ頭部であってもよいことが理解される。いくつかの実施形態において、１組のソール部品は、本体１２、及び／又は、ソール部品１４ａ、１４ｂ、及び１４ｃのうちのいずれかを本体１２に適切に固定するための対応する締結用工具との組合せで提供することができる。このような工具は、従来のドライバー、レンチ、アレンレンチ、アレンキー、トルクス（登録商標）レンチ、多角形断面を有するレンチ、専用の断面形状を有するレンチ等を含むことができる。１つ又は複数の実施形態において、締結用工具は、トルク検知装置と、必要に応じて、ユーザーに、締結具に現在印加されているトルク及び／又はトルクが閾値に達するか若しくは閾値を超えた場合を示すインジケーターとを備える。さらに、本体１２及びソール部品１４は、単一のねじ部材５２によってソール部品１４を本体１２に取り付けることを可能にするようになっており、これにより、使用の単純さ及び容易さがもたらされ、ソール部品１４を本体１２に対して素早く簡単に交換可能であることを可能にする。また、ボア３３、カウンターボア４８、及びねじ部材５２の構成により、複数の接触点が間にあることに起因して使用中の「クリック音」を低減することができる。この構成の場合、詳細には、ねじ用ボア３３がソール部品１４の後面から上述の角度範囲内の角度で延在する場合、クラブヘッド１２の比較的厚い部分に位置合わせされた場所及び方向において、ねじが本体１２に入ることが確実になる。これにより、本体１２の薄い壁及び／又は不必要な「中空」の存在が低減され、それにより有益なフィーリングが促進され得る。また、ねじ��ボア３３をこのように向けることにより、ねじ材料の比較的長い部分が本体１２に固定されることが確実になり、ソール部品１４及び本体１２の一体の組付けが更に可能になり、有益なフィーリングを促進するとともに、多部品クラブヘッドシステムの構造的完全性が確実になる。
【００３９】
ねじ部材５２に加えて任意のテープ層又は他の接着剤を用いて、ソール部品１４を本体１２に結合することができることも想定される。テープ層はフィーリングを向上させるとともに「クリック音」を更に低減することができるが、ほとんどの場合、付加的なテープ層を用いないねじ部材５２の使用で十分であるとみなされ得る。
【００４０】
別の実施形態によれば、キャプティブスクリュー（captive screw：脱落防止ねじ）を用いて、ソール部品１４を本体１２に固定することができる。キャプティブスクリューを使用すると、ソール部品１４を取り外すのにねじを外しながらも、ねじを本体１２に保持することができる。
【００４１】
ソール部品１４及び本体１２を、任意の締結要素又は当該技術分野において既知の技法を用いて結合することができることが更に想定される。例えば、ソール部品１４は、１つ若しくは複数の磁石、又はばねを備えるねじを使用して、本体１２に結合し、ソール部品の交換に関する時間を低減するのに迅速な解放又は迅速な回転の選択肢を可能にすることができる。
【００４２】
図１０及び図１１は、クラブヘッド１０に関する種々の寸法及びパラメーターを説明するための、図９に示されているクラブヘッド１０の複製である。図１０を具体的に参照すると、ソール部品１４は、打球面の平面２２に対して平行なソール部品の前方平面６８を規定する最前点と、打球面の平面２２に対して平行なソール部品の後方平面７２を規定する最後点７０とを有する。クラブヘッド１０は、分割線５６を通り、打球面の平面２２に対して平行な平面７４を更に有する。打球面の平面２２と分割線５６を通る平面７４との間の距離は、距離Ｄ１を規定する。打球面の平面２２とソール部品の後方平面７２との間の距離は、距離Ｄ２及び最大奥行きを規定する。ソール部品の前方平面６８と分割線５６を通る平面との間の距離は、距離Ｄ３を規定する。ソール部品の前方平面６８とソール部品の後方平面７２との間の距離は、距離Ｄ４を規定する。
【００４３】
１つの実施形態によれば、距離Ｄ１は、好ましくはおよそ０．２５インチ以上であり、より好ましくはおよそ０．３５インチ以上であり、更により好ましくはおよそ０．４０インチ〜０．６０インチであり、更により一層好ましくはおよそ０．４２インチ〜０．５０インチであり、最も好ましくはおよそ０．４７インチに等しい。
【００４４】
別の実施形態によれば、距離Ｄ２は、好ましくはおよそ０．５０インチ以上であり、より好ましくはおよそ０．６０インチ〜０．７５インチであり、最も好ましくはおよそ０．６３インチに等しい。
【００４５】
更に別の実施形態によれば、距離Ｄ３は、好ましくはおよそ０．２５インチ以上であり、より好ましくはおよそ０．３０インチ〜０．４０インチであり、最も好ましくはおよそ０．３５インチに等しい。
【００４６】
更に別の実施形態によれば、距離Ｄ４は、好ましくはおよそ０．３５インチより大きく、より好ましくはおよそ０．４５インチ〜０．６０インチであり、最も好ましくはおよそ０．５１インチに等しい。
【００４７】
上述の寸法に加えて、クラブヘッド１０に関していくつかの好ましい比が存在する。１つの実施形態によれば、Ｄ１／Ｄ２の比は、好ましくはおよそ０．４０以上であり、より好ましくはおよそ０．５０以上であり、更により好ましくはおよそ０．７０以上であり、最も好ましくはおよそ０．７４に等しい。Ｄ３／Ｄ４の比は、好ましくはおよそ０．３０以上であり、より好ましくはおよそ０．５０以上であり、更により好ましくは０．６０以上であり、より一層好ましくはおよそ０．６５以上であり、最も好ましくはおよそ０．６８に等しい。調整可能なクラブヘッド１０をこのように構成することによって、ソール面５４の近位の分割線は、クラブヘッド１０に対して比較的後方になる。これにより、最初の芝との相互作用の点に又はその点付近に分割線が位置する場合、分割線がフィーリングに対して及ぼし得る悪影響が最小限になる。したがって、上述の構成により、このような調整可能なクラブヘッドは、そのような通常の調整可能でないクラブヘッドの代わりとしてより受け入れやすくなることが可能になる。結果として、より似たようなフィーリングを提供することにより、このような調整可能なクラブヘッド１０をフィッティング用のツールとして用いる場合、このような調整可能なクラブヘッド１０が対応することを意図され得る従来から購入可能な調整可能でないクラブヘッドのようなフィーリングをより得やすい。この場合、例えばバウンスフィッティングを行うゴルファーは、実際に購入したクラブが、この購入したクラブが発揮するはずのテストクラブのようなフィーリングではないことに落胆することが少なくなる（又はフィッティング作業がほとんど無意味であったと感じることが最小限になる）。
【００４８】
ここで図１１を参照すると、本体１２とソール部品１４との組合せによって形成されるクラブヘッド１０は、重心７６を規定し、重心７６は、打球面の平面２２から距離ＣＧ1だけ垂直に離間し、グラウンド平面３７から距離ＣＧ2だけ上昇している。１つの実施形態によれば、ＣＧ1は、好ましくはおよそ１ｍｍ〜５ｍｍに等しく、より好ましくはおよそ２ｍｍ〜４ｍｍに等しく、より一層好ましくはおよそ２．２ｍｍに等しく、一方、ＣＧ2は好ましくはおよそ１０ｍｍ〜２５ｍｍに等しく、より好ましくはおよそ１５ｍｍ〜２０ｍｍに等しく、より一層好ましくはおよそ１７．５ｍｍである。調整可能なクラブヘッド１０をこのように構成することによって、このような調整可能なクラブヘッドは、そのような通常の調整可能でないクラブヘッドの代わりとしてより受け入れやすくなることが可能になる。結果として、より似たようなフィーリングを提供することにより、このような調整可能なクラブヘッド１０をフィッティング用のツールとして用いる場合、このような調整可能なクラブヘッド１０が対応することを意図され得る従来から購入可能な調整可能でないクラブヘッドのようなフィーリングをより得やすい。この場合、例えばバウンスフィッティングを行うゴルファーは、実際に購入したクラブが、この購入したクラブが発揮するはずのテストクラブのようなフィーリングではないことに落胆することが少なくなる（又はフィッティング作業がほとんど無意味であったと感じることが最小限になる）。
【００４９】
さらに、図１１は、中央の仮想垂直平面において、分割線５６が打球面のリーディングエッジ８０から後方に水平距離Ｄ５だけ離間しており、ソール面がソール面水平長さＤ６を有することを示している。距離Ｄ５は、好ましくはおよそ０．３５インチ以上であり、より好ましくはおよそ０．４０インチ〜０．７０インチであり、最も好ましくは約０．５１インチに等しい。ソール面水平長さＤ６は、好ましくはおよそ０．５０インチ以上であり、より好ましくはおよそ０．７０インチ〜１．００インチであり、最も好ましくはおよそ０．８１５インチに等しい。１つの実施形態によれば、Ｄ５／Ｄ６の比は、およそ０．５０以上であり、より好ましくはおよそ０．５５〜０．７０であり、更により好ましくはおよそ０．６０〜０．６５であり、最も好ましくはおよそ０．６３に等しい。
【００５０】
図１１は、（打球面の平面）に対して垂直であり、グラウンド接触点８２を通る中央の仮想垂直平面において）（リーディングエッジ８０及びグラウンド接触点８２を通る）線７８とグラウンド平面３７との間の角度として規定される「打出し」角βを更に示している。１つの実施形態によれば、打出し角βは、好ましくはおよそ４０度〜６０度に等しく、より好ましくはおよそ４５度〜５５度に等しく、最も好ましくはおよそ５１度に等しい。
【００５１】
クラブヘッド１０は、好ましくはヘッドの質量がおよそ２００ｇ以上であり、より好ましくは２４０ｇ〜３００ｇであり、更により好ましくは２５０ｇ〜２９０ｇであり、最も好ましくはおよそ２７６ｇに等しい。さらに、１つの実施形態によれば、重心７６を通る垂直軸回りの慣性モーメントは、クラブヘッド１０が基準位置にある場合、およそ３０００ｇ＊ｃｍ2以上であり、より好ましくはおよそ３４００ｇ＊ｃｍ2以上であり、更により好ましくはおよそ３５００ｇ＊ｃｍ2〜３８００ｇ＊ｃｍ2、最も好ましくはおよそ３６００ｇ＊ｃｍ2に等しい。調整可能なクラブヘッド１０をこのように構成することによって、クラブヘッドのフィーリングは、通常の調整可能でない一体型クラブヘッドとより似たものとなり得、このような調整可能なクラブヘッドをそのような通常の調整可能でないクラブヘッドの代わりとしてより受け入れやすくなることが可能になる。結果として、より似たようなフィーリングを提供することにより、このような調整可能なクラブヘッド１０をフィッティング用のツールとして用いる場合、このような調整可能なクラブヘッド１０が対応することを意図され得る従来から購入可能な調整可能でないクラブヘッドのようなフィーリングをより得やすい。この場合、例えばバウンスフィッティングを行うゴルファーは、実際に購入したクラブが、この購入したクラブが発揮するはずのテストクラブのようなフィーリングではないことに落胆することが少なくなる（又はフィッティング作業がほとんど無意味であったと感じることが最小限になる）。
【００５２】
ここで図１２〜図１４を参照すると、３つの異なる例示的なソール部品１４ａ〜１４ｃのうちのそれぞれ１つを伴って形成される３つのクラブヘッド１０ａ〜１０ｃの拡大された部分断面図が示されている。まず図１２を参照すると、第１のソール部品１４ａが本体１２に結合されて、第１のクラブヘッド１０ａを画定している。第１のソール部品１４ａは、第１のソール部品１４ａがグラウンド平面３７ａと交わる第１のグラウンド接触点８２ａを規定し、グラウンド平面３７ａと第１のグラウンド接触点８２ａ及びリーディングエッジ８０を通る軸との間に第１の打出し角β1を規定する。第１のグラウンド接触点８２ａ及びリーディングエッジ８０は、第１のリーディングエッジ高さＨ1を規定する。第１のソール部品１４ａは第１のグラインド（grind）部８４ａを更に画定し、第１のグラインド部８４ａは、第１のグラウンド接触点８２ａから後方に延在するとともに第１の最後点７０ａにおいて終端し、第１の最後点７０ａは、グラウンド平面３７ａから第１のグラインド高さＧ1だけ上昇している。
【００５３】
ここで図１３を参照すると、第２のソール部品１４ｂが本体１２に結合されて、第２のクラブヘッド１０ｂを画定している。第２のソール部品１４ｂは、第２のソール部品１４ｂがグラウンド平面３７ｂと交わる第２のグラウンド接触点８２ｂを規定し、グラウンド平面３７ｂは、グラウンド平面３７ｂと第２のグラウンド接触点８２ｂ及びリーディングエッジ８０を通る軸との間に第２の打出し角β2を規定する。第２のグラウンド接触点８２ｂ及びリーディングエッジ８０は、第２のリーディングエッジ高さＨ2を規定する。第２のソール部品１４ｂは、第２のグラインド部８４ｂを更に画定し、第２のグラインド部８４ｂは、第２のグラウンド接触点８２ｂから後方に延在するとともに第２の最後点７０ｂにおいて終端し、第２の最後点７０ｂは、グラウンド平面３７ｂから第２のグラインド高さＧ2だけ上昇している。
【００５４】
ここで図１４を参照すると、第３のソール部品１４ｃが本体１２に結合されて、第３のクラブヘッド１０ｃを画定している。第３のソール部品１４ｃは、第３のソール部品１４ｃがグラウンド平面３７ｃに交わる第３のグラウンド接触点８２ｃを規定し、第３のグラウンド接触点８２ｃは、グラウンド平面３７ｃと第３のグラウンド接触点８２ｃ及びリーディングエッジ８０を通る軸との間に第３の打出し角β3を規定する。第３のグラウンド接触点８２ｃ及びリーディングエッジ８０は、第３のリーディングエッジ高さＨ3を規定する。第３のソール部品１４ｃは、第３のグラインド部８４ｃを更に画定し、第３のグラインド部８４ｃは、第３のグラウンド接触点８２ｃから後方に延在するとともに第３の最後点７０ｃにおいて終端し、第３の最後点７０ｃは、グラウンド平面３７ｃから第３のグラインド高さＧ3だけ上昇している。
【００５５】
第１のソール部品１４ａ、第２のソール部品１４ｂ、及び第３のソール部品１４ｃはそれぞれ、各クラブヘッド１０ａ〜１０ｃに異なるバウンス特性を与えることを目指して、第１のクラブヘッド１０ａ、第２のクラブヘッド１０ｂ、及び第３のクラブヘッド１０ｃの全体的な構造特性を変更するそれぞれの外形を規定する。いくつかの場合、図示のように、ソール部の後部が様々な角度でグラインドしている。グラインドの度合いを増加させることにより、ソールの接触場所を変化させることができ、その結果、打出し角β及びリーディングエッジ高さＨが変わる。より具体的には、例えば、１つの実施形態によれば、本体１２に対する第１のグラウンド接触点８２ａの場所は、第２のグラウンド接触点８２ｂ及び第３のグラウンド接触点８２ｃの場所とは異なり、第１のグラウンド接触点８２ａの場所は、第２のグラウンド接触点８２ｂ及び第３のグラウンド接触点８２ｃの場所よりもリーディングエッジ８０の近くに位置する。さらに、リーディングエッジ高さは、クラブヘッドごとに変化し得る。例えば、第１のリーディングエッジ高さＨ1は、第２のリーディングエッジ高さＨ2及び第３のリーディングエッジ高さＨ3よりも小さくてもよい。種々の実施形態によれば、第１のリーディングエッジ高さＨ1は、第２のリーディングエッジ高さＨ2及び／又は第３のリーディングエッジ高さＨ3とは、量Δだけ異なり、この量Δは、およそ０．１５ｍｍ〜０．４０ｍｍに等しく、より好ましくはおよそ０．２０ｍｍ〜０．２５ｍｍに等しく、最もおよそ０．２１８ｍｍに等しい。１つの実施形態によれば、第１のリーディングエッジ高さＨ1は、第２のリーディングエッジ高さＨ2及び／又は第３のリーディングエッジ高さＨ3よりも量Δだけ小さい。さらに、グラインド高さＧ1〜Ｇ3は、ソール部品１４ａ〜１４ｃ間で変化し得、１つの実施態様では、第１のグラインド高さＧ1は、第２のグラインド高さＧ2及び第３のグラインド高さＧ3よりも大きくなっている。調整可能なクラブヘッド１０をこのように構成することによって、クラブヘッドのフィーリングは、通常の調整可能でない一体型クラブヘッドとより似たものとなり得、このような調整可能なクラブヘッドをそのような通常の調整可能でないクラブヘッドの代わりとしてより受け入れやすくなることが可能になる。結果として、より似たようなフィーリングを提供することにより、このような調整可能なクラブヘッド１０をフィッティング用のツールとして用いる場合、このような調整可能なクラブヘッド１０が対応することを意図され得る従来から購入可能な調整可能でないクラブヘッドのようなフィーリングをより得やすい。この場合、例えばバウンスフィッティングを行うゴルファーは、実際に購入したクラブが、この購入したクラブが発揮するはずのテストクラブのようなフィーリングではないことに落胆することが少なくなる（又はフィッティング作業がほとんど無意味であったと感じることが最小限になる）。
【００５６】
種々のソール部品１４ａ〜１４ｃは、様々なプレー環境及び／又は様々なスイング特性を有するプレーヤーにいくつかの利点を提供することができる。例えば、第１のソール部品１４ａは、堅いコンディション及びタイトライズからのプレー時に好ましい場合がある。また、第１のソール部品１４ａは、アタック角が浅いプレーヤーにとってより好適である場合がある。第２のソール部品１４ｂは、非常に多種多様な砂、芝、及びスイングのタイプに最も対応することができる。第３のソール部品１４ｃは、より柔らかい芝のコンディション及びバンカーにおいて使用される場合、又はプレーヤーのアタック角が急角度である場合の使用に好ましい場合がある。
【００５７】
ソール部品１４ａ〜１４ｃを交換することが可能であることにより、ユーザーが異なるフィーリングを容易にテストすることが可能になり、したがって、ソール部品１４ａ〜１４ｃは、３つのクラブヘッドを１つのクラブヘッドとして有効に提供する。ユーザーは、１つのソール部品１４（例えば、ソール部品１４ａ、１４ｂ、１４ｃ）を別のソール部品１４と取り替えることにより、単一のクラブを用いて異なるバウンス間を迅速に移行する（move）ことができる。さらに、特にコースを回る際又はツアー時には、複数の異なるクラブを携行するよりも、複数のソール部品１４を携えて回る方が容易である。また、ソール部品１４は、完全に別個のクラブヘッドよりも少ないコストで製造することが容易である。さらに、ゴルファーによっては、長期間にわたり「使用（worked）」してきた特定の打球面に慣れてしまい、そのため、ゴルファーは、全く異なるクラブに切り替えるのではなく、同じ打球面を有する異なるソール部品１４を用いて異なるバウンス特性を達成することができる場合がある。
【００５８】
本明細書に記載される種々の部品は、本体１２が複数のソール部品１４とともに販売される形でキットとして販売することができることが想定される。本体１２は、クラブシャフトと合わせて販売してもよく、クラブシャフトとは別個に販売してもよい。本体１２及びソール部品１４は互いに別個に販売してもよいことが更に想定される。
【００５９】
ここで図１５〜図２４を参照すると、アイアン型のゴルフクラブヘッド１１０の適応性及びカスタマイズ性を更に提供する、本開示の別の態様が示されている。図１〜図１４に示されている実施形態は、主として、交換式のソール部品１４の使用によりクラブヘッドのバウンスを変更することに関し、そこでは、１つのソール部品１４が任意の所与の時点でクラブヘッドに取り付けられるが、図１５〜図２４に示されているクラブヘッド１１０は、少なくとも２つのプレート又はインサート１１４、１１６を任意の所与の時点でクラブヘッドの本体１１２に取り付けることが可能である。このような適応性により、更なるカスタマイズ性（例えば、重心の場所の変更、所望の重量分布の生成等）を与え、ユーザーの特定のスイング特性及び選好に更に対応することができる。プレート１１４、１１６は、異なる色で形成するか又は特定のロゴ若しくは標示で表面を装飾することができるので、プレート１１４、１１６は、ユーザーがクラブヘッド１１０の見た目をカスタマイズすることも可能にすることができる。
【００６０】
通常、図１５〜図２４に示されているクラブヘッド１１０は、それぞれ、本体１１２と、後部プレート１１４と、ソールプレート１１６とを備え、双方のプレート１１４、１１６は、本体１１２に選択的に取付け可能である。図１５〜図２４に示されている各クラブヘッド１１０の本体１１２は同一であるが、後部プレート１１４及びソールプレート１１６の構成は、より詳細に後述するように異なっている。各クラブヘッド１１０の本体１１２は、トップライン１１８と、トップライン１１８とは概して対向関係にあるソール部１２０とを有し、クラブヘッド１１０が基準位置にある場合、ソール部１２０の少なくとも一部がグラウンド平面１２２に当接する。打球面１２４はトップライン１１８とソール部１２０との間に延在し、後面１２６は打球面１２４とは概して対向関係にある。
【００６１】
本体１１２は、後部キャビティ１２８及びソールキャビティ１３０のそれぞれを介して後部プレート１１４及びソールプレート１１６とそれぞれ協働し、後部キャビティ１２８とソールキャビティ１３０とは、クラブヘッド１１０の後部を横切ってヒール部１３４とトゥ部１３６との間に延在する仕切り部１３２によって互いに分離されている。１つの実施形態によれば、クラブヘッド１１０がグラウンド平面１２２に対して基準位置にある場合、仕切り部１３２は、ヒール部１３４とトゥ部１３６との間に概して水平方向に延在する。
【００６２】
後部キャビティ１２８は、後面１２６から打球面１２４に向かって本体１１２内へ第１の方向に延在するとともに、リセス付き後面１３８において終端し、後部キャビティ深さを規定する。また、後部キャビティ１２８は、仕切り部１３２からトップライン１１８に向かって第２の方向に延在し、後部キャビティ１２８の上側周縁部１２８ａは、トップライン１１８と同様の形状、例えばトップライン１１８と平行である。これに関して、仕切り部１３２に隣接する後部キャビティ１２８の周縁部（すなわち下側周縁部１２８ｂ）は、概して直線状の経路に従う。このように、後部キャビティ１２８の下側周縁部１２８ｂは、クラブヘッドのブレード部とクラブヘッド１１０のマッスル部との間の接合部に概して従う、例えばこの接合部と平行である。図１５に示されている特定の実施形態において、このような接合部は概して直線状である。しかし、他の実施形態では、クラブヘッドのブレード部とマッスル部との間の接合部は、例えば上方に凹状であるか又は上方に凸状である弧状であってもよい。このような場合、後部キャビティ１２８の下側周縁部１２８ｂは、このような接合部の経路に従うことが好ましい。例えば、接合部が上方に凹状の経路に従う実施形態では、後部キャビティ１２８の下側周縁部１２８ｂも、上方に凹状の経路に従うことが好ましい。このような接合部が上方に凸状の経路に従う実施形態では、後部キャビティ１２８の下側周縁部１２８ｂも、上方に凸状の経路に従う。このような構成は、取外し可能な質量部に最大の空間をあてがい、カスタマイズ可能な範囲をより拡大することを確実にする。当然ながら、代替的な実施形態では、後部キャビティ１２８の下側周縁部１２８ｂの経路は、クラブヘッド１１０のブレード部とマッスル部との間の接合部の経路には従わず、例えば鏡像状の経路に従う場合がある。同様に、代替的な実施形態では、後部キャビティ１２８の上側周縁部１２８ａの経路は、トップライン１１８の経路に概して従わず、例えば鏡像状の経路に従う場合がある。１つ又は複数のねじ切りされたキャビティ又はリセスは、より詳細に後述するように、リセス付き後面１３８から本体１１２内へと更に延在し、機械的な締結具の使用による後部プレート１１４の本体１１２への取付けを容易にすることができる。
【００６３】
ソールキャビティ１３０は、ソール部の後面１４０からソール部１２０内へ第１の方向に延在するとともに、ソール部のリセス付き面１４２において終端し、また、仕切り部１３２からソール部の底面１４４に向かって第２の方向に延在する。これに関して、ソールキャビティ１３０の仕切り部１３２に隣接する周縁部１３０ａ（すなわち上側周縁部１３０ａ）は、概して直線状の経路に従う。このように、ソールキャビティ１３０の上側周縁部１３０ａは、クラブヘッドのブレード部とクラブヘッド１１０のマッスル部との間の接合部に概ね従う、例えばこの接合部と平行である。図１５に示されている特定の実施形態では、このような接合部は概ね直線状である。しかし、他の実施形態では、クラブヘッドのブレード部とマッスル部との間の接合部は、例えば上方に凹状であるか又は上方に凸状である弧状であってもよい。このような場合、ソールキャビティ１３０の上側周縁部１３０ａは、このような接合部の経路に従うことが好ましい。例えば、接合部が上方に凹状の経路に従う実施形態では、ソールキャビティ１３０の上側周縁部１３０ａも、上方に凹状の経路に従うことが好ましい。このような接合部が上方に凸状の経路に従う実施形態では、ソールキャビティ１３０の上側周縁部１３０ａも、上方に凸状の経路に従う。これらの構成は、取外し可能な質量部に最大の空間をあてがい、カスタマイズ可能な範囲をより拡大することを確実にする。当然ながら、代替的な実施形態では、ソールキャビティ１３０の上側周縁部１３０ａの経路は、クラブヘッド１１０のブレード部とマッスル部との間の接合部の経路には従わず、例えば鏡像状の経路に従う場合がある。同様に、代替的な実施形態では、ソールキャビティ１３０の下側周縁部１３０ｂの経路は、ソール部１２０と後面１４０との間の接合線の経路に概して従わず、例えば鏡像状の経路に従う場合がある。１つ又は複数のねじ切りされたキャビティ又はリセスは、リセス付きソール面１４２から本体１１２内へ更に延在し、機械的な締結具の使用によるソールプレート１１６の本体１１２への着脱を容易にすることができる。
【００６４】
上述した本体１１２の構成は、図１５〜図２４に示されているとともにより詳細に後述する後部プレート１１４又はソールプレート１１６の任意のものとともに用いることができる。
【００６５】
まず図１５〜図１７を参照すると、クラブヘッド１１０の一種としてクラブヘッド１１０ａが示されており、後部プレート１１４の一種として後部プレート１１４ａ、またソールプレート１１６の一種としてソールプレート１１６ａが備え付けられている。クラブヘッド１１０ａにおいて、後部プレート１１４ａ及びソールプレート１１６ａは、全体的に略一定の厚さを有する。後部プレート１１４ａは、後部キャビティ１２８に相補的な形状であり、第１の面１４８とその反対側の第２の面１５０とを有し、第１の面１４８と第２の面１５０との間には後部プレート厚が規定される。図１５〜図１７に示されている実施形態では、第１の面１４８と第２の面１５０との間の距離は、後部プレート１１４ａの全体にわたって略一定のままである。これに関して、上記距離は、トップラインからソール部にかけての方向においても、ヒール部からトゥ部にかけての方向においても同じままである。後部プレート１１４ａは、仕切り部１３２に隣接して位置する概して直線状の縁部と、トップライン１１８に隣接した位置にある弧状又は曲線状の縁部とを有する。
【００６６】
後部プレート１１４ａは、後部キャビティ１２８内に取外し可能に固定されるように構成されている。いくつかの実施形態において、後部プレート１１４ａは、締結具１５４を貫通させて受ける貫通ボアを有する。締結具１５４は、軸部の軸が後部キャビティの軸１５２と一致して規定されるねじ切りされたねじを含むことが好ましい。後部プレート１１４は、１対の開口又はそのような貫通ボアを有してもよく、これらの開口又は貫通ボアは、本体１１２に形成されている対応するリセスと位置合わせされ、ねじ又は他の機械的な締結具等の１対の後部プレート締結具１５４を、本体１１２に後部プレート１１４ａを固定するために内部に受けることを可能にする。締結具が複数のねじ切りされたねじを含む場合、それぞれが互いに平行なねじ軸を規定する。テープ、磁石、又は当該技術分野において既知の他の締結具を、本体１１２に後部プレート１１４ａを固定するのに用いてもよいことも想定される。
【００６７】
ソールプレート１１６ａは、ソールキャビティ１３０に相補的な形状であり、第１の面１５６とその反対側の第２の面１５８とを有し、第１の面１５６と第２の面１５８との間にはソールプレート厚が規定される。図１５〜図１７に示されている実施形態では、第１の面１５６と第２の面１５８との間の距離は、ソールプレート１１６ａの全体にわたって略一定のままである。これに関して、上記距離は、トップラインからソール部にかけての方向にも、ヒール部からトゥ部にかけての方向にも同じままである。ソールプレート１１６ａは、仕切り部１３２に隣接して位置する概して直線状の縁部と、ソール部の底面１４４に隣接した位置にある弧状又は曲線状の縁部とを有する。
【００６８】
ソールプレート１１６ａは、ソールキャビティ１３０内に取外し可能に固定されるように構成されている。いくつかの実施形態において、ソールプレート１１６ａは、締結具１６２を貫通させて受ける貫通ボアを有する。締結具１６２は、軸部の軸がソールキャビティの軸１６０と一致して規定されるねじ切りされたねじを含むことが好ましく、この軸は、後部キャビティの軸１５２の角度からずれている。テープ、磁石、又は当該技術分野において既知の他の締結具を、本体１１２にソールプレート１１６ａを固定するのに用いてもよいことも想定される。締結具が複数のねじ切りされたねじを含む場合、それぞれが互いに平行なねじ軸を規定する。
【００６９】
後部プレート１１４ａ及びソールプレート１１６ａは、対応する後部キャビティ１２８及びソールキャビティ１３０を満たすか、後部キャビティ１２８及びソールキャビティ１３０を超えるか、又は代替的には後部キャビティ１２８及びソールキャビティ１３０を部分的にのみ満たすそれぞれの厚さを有するように構成することができる。好ましくは、後部プレート１１４及びソールプレート１１６は、後部キャビティ１２８及びソールキャビティ１３０をそれぞれ満たし、それにより、クラブヘッド１１０のそれぞれの隣接する周囲外面に対してそれらの外面が略面一になる（例えば製造公差を許容する）。このようにクラブヘッドの伝統的な外観が保持され、自信を促進し、塵芥を集め得る鋭い外形が最小限になる。
【００７０】
ここで図１８〜図２０を参照すると、クラブヘッド１１０の別種としてクラブヘッド１１０ｂが示されており、後部プレート１１４の別種として後部プレート１１４ｂ、またソールプレート１１６の別種としてソールプレート１１６ａが備え付けられている。クラブヘッド１１０ｂにおいて、後部プレート１１４ｂ及びソールプレート１１６ｂは、それぞれ可変（例えば不均一）の厚さを有する。これに関して、後部プレート１１４ｂは、第１の面１６６とその反対側の第２の面１６８とを有し、第１の面１６６と第２の面１６８との間の距離は変化し、この場合、仕切り部１３２に隣接して距離が最小になり、トップライン１１８に沿って距離が最大になる。これに関して、プレート１１４ｂが本体１１２に結合され、クラブヘッド１１０ｂが基準位置にある場合、後部プレート１１４ｂの厚さは概して垂直方向に変化するので、後部プレート１１４ｂは「垂直方向の傾斜（vertical slant）」を有するものとみなされる。後部プレート１１４ｂのこの垂直方向の傾斜により、クラブヘッド１１０ｂの重心が上昇するように後部プレート１１４ｂが本体１１２に取り付けられる場合、トップライン１１８に隣接してより多くの質量部が位置する結果となる。
【００７１】
ソールプレート１１６ｂも、第１の面１７０とその反対側の第２の面１７２とによって規定される「垂直方向の傾斜」を有する。第１の面１７０と第２の面１７２との間の距離は変化し、この場合、ソール部の底面１４４に隣接して距離が最小になり、仕切り部１３２に隣接して距離が最大になる。ソールプレート１１６ｂの垂直方向の傾斜により、クラブヘッド１１０ｂの重心が上昇するようにソールプレート１１６ｂが本体１１２に取り付けられる場合、仕切り部１３２に隣接してより多くの質量部が位置する結果となる。
【００７２】
図１８〜図２０に示されている実施形態は、それぞれ概して厚さが上方向に増加する（例えば、プレート１１４ｂ、１１６ｂのソール部１２０から遠ざかる方向に延在する部分が最も厚い）後部プレート１１４ｂ及びソールプレート１１６ｂを備えるが、反対の構成を有してもよく、概して厚さが上方向に減少する（例えば、プレート１１４ｂ、１１６ｂのソール部１２０の方に延在する部分が最も厚い）ことも想定される。
【００７３】
ここで図２１〜図２４を参照すると、クラブヘッド１１０の更なる別種としてクラブヘッド１１０ｃが示されており、後部プレート１１４の更なる別種として後部プレート１１４ｃ、またソールプレート１１６の更なる別種としてソールプレート１１６ｃが備え付けられている。クラブヘッド１１０ｃにおいて、後部プレート１１４ｃ及びソールプレート１１６ｃは、それぞれ概してヒール部からトゥ部にかけての方向に可変（例えば不均一）の厚さを有する。これに関して、後部プレート１１４ｃは、第１の面１７６とその反対側の第２の面１７８とを有し、第１の面１７６と第２の面１７８との間の距離は変化し、この場合、ヒール部１３４に隣接して距離が最小になり、トゥ部１３６に隣接して距離が最大になる。したがって、後部プレート１１４ｃが本体１１２に取り付けられる場合、より多くの質量部がトゥ部１３６に隣接した位置にあり、これにより、クラブヘッド１１０ｃの重心がトゥ部１３６のより近くに移動する結果となる。プレート１１４ｃに段階的な厚さ変化をもたらすことにより、クラブヘッドの伝統的な外観を損なうことがなく、又は製造コストを増加し得るような様々な密度を有する複数の部品を必要とすることがないように、適切な度合いに重心の場所を移動させることができる。
【００７４】
また、ソールプレート１１６ｃは、第１の面１８０及びその反対側の第２の面１８２を有し、第１の面１８０と第２の面１８２との間の距離は変化し、この場合、ヒール部１３４に隣接して距離が最小になり、トゥ部１３６に隣接して距離が最大になる。したがって、ソールプレート１１６ｃが本体１１２に取り付けられる場合、より多くの質量部がトゥ部１３６に隣接した位置にあり、これにより、クラブヘッド１１０ｃの重心がトゥ部１３６のより近くに移動する結果となる。
【００７５】
図２１〜図２４は、トゥ部１３６に隣接して最も厚いものとして後部プレート１１４ｃ及びソールプレート１１６ｃを示しているが、反対の構成で提供してもよく、プレート１１４ｃ、１１６ｃがヒール部１３４に隣接して最も厚いことが想定される。
【００７６】
図１５〜図２４に示されているような後部プレート１１４及びソールプレート１１６の使用により、ユーザーがクラブヘッド１１０の重量及び重心を調整することが可能になる。１つの実施形態によれば、重心は、Ｘ軸に沿って（すなわち、図１７に示されている視点では右に向かって）およそ２０．００ｍｍ〜２２．５０ｍｍ、Ｙ軸に沿って（すなわち、ヒール部に向かって）６．００ｍｍ〜７．００ｍｍ、またＺ軸に沿って（すなわち、トップラインに向かって）１３．５０ｍｍ〜１６．００ｍｍだけ基準点から離間している。各寸法の多様性は、本体１１２の構成及び各インサートに使用される材料に応じる。例えば、プレート１１４、１１６は、アルミニウム、タングステン、ステンレス鋼、表面が陽極酸化処理された材料、ゴム／ポリマーを含浸させたタングステン、又は当該技術分野において既知の他の材料から形成することができる。これに関して、プレート１１４、１１６は、異なる密度に関連させることができる。
【００７７】
図１５〜図２４は、ソールプレート１１６と組み合わせて用いられる種々の後部プレート１１４を示しているが、バウンス特性の更なる変化、及び打球面の反対側の重心又は重量変化を可能にするように、後部プレート１１４は、上述した、図１〜図１４に示されているソール部品１４と組み合わせて用いてもよいことも想定される。例えば、クラブヘッドの重心の場所は、自然なソール位置に配置される場合にクラブヘッドを静止させることが可能な向きに影響を与えるものとみなされ得る。また、クラブヘッドの重心は、通常のゴルフスイング時のゴルフボール及び／又は芝との衝突にクラブヘッドの動きが応じる態様に影響する。少なくともこれらの理由から、重心の場所は、いくつかの実施形態において、クラブヘッドに対して有効バウンス角を決定及び割り当てる要因となることが好ましい。このような様相は、更に詳細に上述されている。さらに、上述したソール部品１４と組み合わせて用いる場合、後部プレート１１４及びソール部品１４を本体１１２に対して着脱するのに同じツールを用いることができ、また、１つ又は複数の実施形態に同様に組み込まれている場合、任意の取外し可能なシャフト部品にも用いることができる。これに関して、プレート１１４、１１６、ソール部品（複数の場合もある）１４、及び／又は調整ツールを、キットとしてまとめてパッケージ化して販売してもよい。
【００７８】
さらに、図１５〜図２４に示されているクラブヘッド１１０は、一度に１つのみの後部プレート１１４を受けるようになっている単一の後部キャビティ１２８と、一度に１つのソールプレート１１６を受けるようになっている単一のソールキャビティ１３０とを有するが、クラブヘッド１１０の他の実施形態は、複数の後部キャビティ及び複数のソールキャビティを有する本体１１２を備え、後部キャビティのそれぞれは、それぞれの後部プレートを受けるようになっており、各ソールキャビティは複数のソールプレートを受けるようになっていることが想定される。したがって、所与のクラブヘッド１１０において、複数の後部プレート及び複数のソールプレートが本体１１２に結合されてもよい。
【００７９】
本明細書に示されている事項は、説明的に論じるための単なる例であり、最も有用であると考えられるものを提供するために提示しているのではなく、本開示の種々の実施形態の原理及び概念的な態様の記載が容易に理解される。これに関して、種々の実施形態の異なる特徴の基本的な理解に必要とされるよりも多くの詳細を示すことは試みない。図面と併せて説明することで、これらの実施形態を実際に実施することができる方法が当業者には明らかとなる。
【図１】
0006790567.tif 000002
【図２】
0006790567.tif 000003
【図３】
0006790567.tif 000004
【図４】
0006790567.tif 000005
【図５】
0006790567.tif 000006
【図６】
0006790567.tif 000007
【図７】
0006790567.tif 000008
【図８】
0006790567.tif 000009
【図９】
0006790567.tif 000010
【図９Ａ】
0006790567.tif 000011
【図１０】
0006790567.tif 000012
【図１１】
0006790567.tif 000013
【図１２】
0006790567.tif 000014
【図１３】
0006790567.tif 000015
【図１４】
0006790567.tif 000016
【図１５】
0006790567.tif 000017
【図１６】
0006790567.tif 000018
【図１７】
0006790567.tif 000019
【図１８】
0006790567.tif 000020
【図１９】
0006790567.tif 000021
【図２０】
0006790567.tif 000022
【図２１】
0006790567.tif 000023
【図２２】
0006790567.tif 000024
【図２３】
0006790567.tif 000025
【図２４】
0006790567.tif 000026